(57)【要約】【課題】メディア表面に着弾した溶剤インク滴中から蒸発する有機溶剤等の揮発性物質が、インクジェットヘッド周辺に浮遊して滞留し続けて、その揮発性物質が、インクジェットヘッド下面に結露して付着するのを防止するインク揮発性物質排除機構を提供する。【解決手段】インクジェットヘッド３０周辺に微風を送り込む微風供給手段１０２を備える。そして、その微風供給手段１０２により、インクジェットヘッド３０周辺に微風を送り込んで、その微風により、インクジェットヘッド３０周辺に浮遊して滞留する揮発性物質をインクジェットヘッド３０周辺から排除する。そして、その揮発性物質がインクジェットヘッド３０下面で結露して小粒状等になって付着するのを防ぐ。【選択図】        図１
2005022194.tif 000002
【特許請求の範囲】
【請求項１】
プラテン上方をプラテン表面とほぼ平行なＸ−Ｙ方向に相対的に移動させるインクジェットヘッド下面に並ぶノズルから噴射させて、プラテン上に搭載されたメディア表面に着弾させるインク滴により、複数のインクのドットの配列からなる絵図又は／及び文字をプリントするインクジェットプリンタにおいて、
前記インクジェットヘッド下面に並ぶノズルから噴射されてプラテン上に搭載されたメディア表面に着弾したインク滴中から蒸発して、インクジェットヘッド周辺に浮遊して滞留する揮発性物質をインクジェットヘッド周辺から排除する、揮発性物質排除手段が備えられたことを特徴とするインクジェットプリンタのインクジェットヘッド周辺からのインク揮発性物質排除機構。
【請求項２】
前記揮発性物質排除手段が、インクジェットヘッド周辺に微風を送り込んで、その微風により、インクジェットヘッド周辺に浮遊して滞留する揮発性物質をインクジェットヘッド周辺から排除する、微風供給手段からなることを特徴とする請求項１記載のインクジェットプリンタのインクジェットヘッド周辺からのインク揮発性物質排除機構。
【請求項３】
前記微風供給手段が、インクジェットヘッド周辺に微風を層流状に整えて送り込むための網部材が、その微風供給手段の微風供給路に、該微風供給路を横断して、備えられてなることを特徴とする請求項２記載のインクジェットプリンタのインクジェットヘッド周辺からのインク揮発性物質排除機構。
【請求項４】
前記揮発性物質排除手段が、インクジェットヘッド周辺に浮遊して滞留する揮発性物質を、そのインクジェットヘッド周辺の空気と共に、インクジェットヘッドから離れた箇所に微弱な吸引力で吸引して排除する、気体微弱吸引手段からなることを特徴とする請求項１記載のインクジェットプリンタのインクジェットヘッド周辺からのインク揮発性物質排除機構。
【請求項５】
前記揮発性物質排除手段が、インクジェットヘッド下面が重力が加わる方向に対して傾斜した方向を向くように、又はインクジェットヘッド下面が重力が加わる方向とほぼ平行な方向を向くように、インクジェットヘッドを斜め上下方向又は上下方向に起立させた状態に支持する、インクジェットヘッド支持手段からなることを特徴とする請求項１記載のインクジェットプリンタのインクジェットヘッド周辺からのインク揮発性物質排除機構。
【発明の詳細な説明】
【０００１】
【発明の属する技術分野】
本発明は、インクジェットヘッド周辺に浮遊して滞留するインク溶剤等の揮発性物質を、そのインクジェットヘッド周辺から排除するための、インクジェットプリンタのインクジェットヘッド周辺からのインク揮発性物質排除機構（以下、単にインク揮発性物質排除機構という）に関する。
【０００２】
【従来の技術】
図５に示したような、プラテン２０上方をプラテン２０表面とほぼ平行なＸ−Ｙ方向（図５の左右方向と表裏面方向）に相対的に移動させるインクジェットヘッド３０下面に並ぶノズル（図示せず）からインク滴を噴射させて、そのインク滴をプラテン２０上に搭載されたシート等のメディア１０表面にドット状に着弾させる、インクジェットプリンタが周知である。このプリンタによれば、そのプラテン２０上に搭載されたメディア１０表面に、複数のインクのドットの配列からなる絵図又は／及び文字をプリントできる。図５において、４０は、メディア１０をプラテン２０上をＸ方向に搬送するための、搬送手段である。
【０００３】
このプリンタにおいては、近時、そのインクジェットヘッド３０下面に並ぶノズルから噴射させるインク滴に、高揮発性の有機溶剤にインク顔料又はインク染料が溶解されてなる溶剤インク滴を用いるインクジェットプリンタが開発され、使用されている。
このプリンタにおいては、そのインクジェットヘッド３０下面に並ぶノズルから噴射させてプラテン２０上に搭載されたメディア１０表面にドット状に着弾させる溶剤インク滴により、そのメディア１０表面に複数の溶剤インクのドットの配列からなる、耐候性、耐水性に優れた絵図又は／及び文字をプリントできる。そして、その絵図又は／及び文字がプリントされたメディア１０を、耐候性、耐水性が要求される屋外広告等に使用できる。
【０００４】
このインクジェットヘッド３０下面に並ぶノズルから溶剤インク滴を噴射させるプリンタには、図５に示したように、そのインクジェットヘッド３０の走行経路下方のプラテン２０内側に、プラテン２０上に搭載されたメディア１０をプラテン２０を通して加熱する電熱ヒータ等のメディア加熱手段５０が設けられている。
このような構造のプリンタによれば、そのインクジェットヘッド３０下面に並ぶノズルから噴射されて、その下方のプラテン２０上に搭載されたメディア１０表面に着弾する溶剤インク滴を、メディア加熱手段５０により、メディア１０と共に強制的に加熱して、そのインク滴に含まれる浸透性の高い有機溶剤を素早く蒸発させることができる。そして、そのメディア１０表面に着弾したインク滴を素早く乾燥させて、そのインク滴がその着弾箇所周囲のメディア１０に広く浸透するのを、防ぐことができる。そして、そのメディア１０表面にぼやけた大径のインクのドットが形成されるのを防いで、そのメディア１０表面に、小径のインクのドットを的確に形成できる。そして、そのメディア１０表面に複数の小径の溶剤インクのドットの配列からなる、ぼやけた箇所や滲みのないシャープで鮮明な絵図又は／及び文字をプリント可能となる。
【０００５】
【発明が解決しようとする課題】
しかしながら、上記のような、メディア加熱手段５０が設けられたインクジェットプリンタにおいては、そのメディア加熱手段５０によりメディア１０と共に加熱されるメディア１０表面に着弾した溶剤インク滴から蒸発して、その上方のインクジェットヘッド３０周辺にミスト状になって浮遊して滞留する有機溶剤等の揮発性物質が、大気中に晒されて低温状態にあるインクジェットヘッド３０下面に触れて結露し、そのインクジェットヘッド３０下面に小粒状等となって付着した。そして、そのインクジェットヘッド３０下面に付着した揮発性物質が、同じインクジェットヘッド３０下面に並ぶノズルからのインク滴の的確な噴射を妨害した。
その結果、そのインクジェットヘッド３０下面のノズルから噴射させるインク滴の飛翔奇跡が、正規の方向から偏った方向に曲がったり、そのインクジェットヘッド３０下面のノズルからインク滴が、粒状とならずに、細かいミスト状となって噴射されて、そのミスト状となって噴射されたインク滴が、その下方のプラテン２０上に搭載されたメディア１０表面にしぶきとなって広く分散して付着し、そのメディア１０表面を広範囲に汚したりした。さらには、そのインクジェットヘッド３０下面のノズルからインク滴が的確に噴射されずに、そのプラテン２０上に搭載されたメディア１０表面にプリントされる絵図又は／及び文字の一部に、インクのドットが存在すべき箇所にインクのドットが存在しないいわゆるドット抜けが生じて、その絵図又は／及び文字に縞模様等が発生した。
【０００６】
これと同様なことは、図６に示したような、メディア加熱手段５０が設けらていないインクジェットプリンタであって、そのインクジェットヘッド３０下面に並ぶノズルから、高揮発性の溶剤にインク顔料又はインク染料が溶解されてなる高揮発性インク滴を噴射させて、そのインク滴をインクジェットヘッド３０下方のプラテン２０上に搭載されたメディア１０表面に着弾させた場合にも、生じた。即ち、そのような場合においても、そのメディア１０表面に着弾した高揮発性インク滴から溶剤等の揮発性物質が蒸発して、その揮発性物質がインクジェットヘッド３０周辺にミスト状になって浮遊して滞留した。そして、その揮発性物質が大気中に晒されて低温状態にあるインクジェットヘッド３０下面に触れて結露し、そのインクジェットヘッド３０下面に小粒状等となって付着した。そして、そのインクジェットヘッド３０下面に付着した揮発性物質が、同じインクジェットヘッド３０下面に並ぶノズルからのインク滴の的確な噴射を妨害した。
【０００７】
本発明は、このような課題に鑑みてなされたもので、その目的は、メディア表面に着弾した溶剤インク滴中から蒸発する有機溶剤等の揮発性物質が、インクジェットヘッド周辺に浮遊して滞留し続けるのを防いで、その揮発性物質が、インクジェットヘッド下面に結露して付着するのを防止できる、インクジェットヘッド周辺からのインク揮発性物質排除機構を提供しようとするものである。
【０００８】
【課題を解決するための手段】
このような目的を達成するために、本発明のインク揮発性物質排除機構は、
インクジェットプリンタのインクジェットヘッド下面に並ぶノズルから噴射されてプラテン上に搭載されたメディア表面に着弾したインク滴中から蒸発して、インクジェットヘッド周辺に浮遊して滞留する揮発性物質をインクジェットヘッド周辺から排除する、揮発性物質排除手段が備えられたことを特徴としている。
【０００９】
このように構成されたインク揮発性物質排除機構においては、インクジェットプリンタのインクジェットヘッド下面に並ぶノズルから噴射されてプラテン上に搭載されたメディア表面に着弾したインク滴中から蒸発して、インクジェットヘッド周辺に浮遊して滞留する揮発性物質を、揮発性物質排除手段により、インクジェットヘッド周辺から強制的に迅速かつ的確に排除できる。そして、そのインクジェットヘッド周辺に浮遊して滞留する揮発性物質が、外気に晒されて低温状態にあるインクジェットヘッド下面に長時間接触し続けるのを、防ぐことができる。そして、その揮発性物質が、その揮発性物質の露点温度よりも低温状態にあるインクジェットヘッド下面で結露して、そのインクジェットヘッド下面に小粒状になって付着するのを、防ぐことができる。そして、その揮発性物質が、同じインクジェットヘッド下面に並ぶノズルからのインク滴の的確な噴射を妨害するのを、防ぐことができる。
【００１０】
このインク揮発性物質排除機構においては、前記揮発性物質排除手段を、インクジェットヘッド周辺に微風を送り込んで、その微風により、インクジェットヘッド周辺に浮遊して滞留する揮発性物質をインクジェットヘッド周辺から排除する、微風供給手段から構成するとすると良い。
その場合には、その微風供給手段により、インクジェットヘッド周辺に微風を送り込んで、その微風により、インクジェットヘッド周辺に浮遊して滞留する揮発性物質をインクジェットヘッド周辺から、インクジェットヘッド外方に強制的に迅速かつ的確に排除できる。そして、その揮発性物質が、インクジェットヘッド周辺に長時間滞留し続けて、その揮発性物質の露点温度よりも低温状態にあるインクジェットヘッド下面で結露し、そのインクジェットヘッド下面に小粒状等になって付着するのを、防ぐことができる。
また、微風供給手段により、インクジェットヘッド周辺に送り込まれる風が微風のため、その微風の風圧を受けて、インクジェットヘッド下面に並ぶノズルから噴射されるインク滴の飛翔軌跡が、正規の方向からずれて曲がる等するのを、防ぐことができる。
【００１１】
また、この微風供給手段が備えられたインク揮発性物質排除機構においては、その微風供給手段を、インクジェットヘッド周辺に、微風を層流状に整えて送り込むための、網部材を、その微風供給手段の微風供給路に、該微風供給路を横断して、備えた構造のものとすると良い。
そうした場合には、その微風供給手段の微風供給路に該微風供給路を横断して備えた網部材により、インクジェットヘッド周辺に送り込む微風を、インク滴が風圧の影響を受け易い乱流状態とせずに、層流状に整えた状態とすることができる。そして、そのインクジェットヘッド周辺に送り込まれる微風の風圧を受けて、インクジェットヘッド下面に並ぶノズルから噴射されるインク滴の飛翔軌跡が、正規の方向からずれて曲がる等するのを、確実に防ぐことができる。
【００１２】
本発明のインク揮発性物質排除機構においては、前記揮発性物質排除手段を、インクジェットヘッド周辺に浮遊して滞留する揮発性物質を、そのインクジェットヘッド周辺の空気と共に、インクジェットヘッドから離れた箇所に微弱な吸引力で吸引して排除する、気体微弱吸引手段から構成しても良い。
その場合には、インクジェットヘッド周辺に浮遊して滞留する揮発性物質を、そのインクジェットヘッド周辺の空気と共に、気体微弱吸引手段により、インクジェットヘッドから離れた箇所に微弱な吸引力で強制的に迅速かつ的確に排除できる。そして、その揮発性物質が、インクジェットヘッド周辺に長時間滞留し続けて、その揮発性物質の露点温度よりも低温状態にあるインクジェットヘッド下面で結露し、そのインクジェットヘッド下面に小粒状等になって付着するのを、防ぐことができる。
また、気体微弱吸引手段により、インクジェットヘッド周辺に浮遊して滞留する揮発性物質が、そのインクジェットヘッド周辺の空気と共に、インクジェットヘッドから離れた箇所に微弱な吸引力で吸引されて排除されるために、その気体微弱吸引手段による吸引力を受けて、インクジェットヘッド下面に並ぶノズルから噴射されるインク滴の飛翔軌跡が、正規の方向からずれて曲がる等するのを、防ぐことができる。
【００１３】
本発明のインク揮発性物質排除機構においては、前記揮発性物質排除手段を、インクジェットヘッド下面が重力が加わる方向に対して傾斜した方向を向くように、又はインクジェットヘッド下面が重力が加わる方向とほぼ平行な方向を向くように、インクジェットヘッドを斜め上下方向又は上下方向に起立させた状態に支持する、インクジェットヘッド支持手段から構成しても良い。
その場合には、そのプラテン上に搭載されたメディア表面に着弾したインク滴中から蒸発して、大気中を空気からの浮力を受けて重力が加わる方向とは逆方向に上昇する揮発性物質を、そのメディア上方を覆うインクジェットヘッド下面により妨害されずに、インクジェットヘッド支持手段により斜め上下方向又は上下方向に起立させた状態に支持されたインクジェットヘッドの、重力が加わる方向に対して傾斜した方向を向くインクジェットヘッド下面、又は重力が加わる方向とほぼ平行な方向を向くインクジェットヘッド下面と、プラテン上に搭載されたメディア表面との間の隙間を通して、インクジェットヘッド上方の大気中に迅速に飛散、消失させることができる。そして、その揮発性物質が、インクジェットヘッド周辺に長時間滞留し続けて、その揮発性物質の露点温度よりも低温状態にあるインクジェットヘッド下面で結露し、そのインクジェットヘッド下面に小粒状等になって付着するのを、防ぐことができる。
【００１４】
【発明の実施の形態】
図１から図４は本発明のインク揮発性物質排除機構の好適な実施の形態を示し、図１から図４はその概略構造説明図である。以下に、これらのインク揮発性物質排除機構を説明する。
【００１５】
図１から図４に示したインク揮発性物質排除機構には、いずれも有機溶剤等の揮発性物質を含むインクを使用するインクジェットプリンタのインクジェットヘッド３０下面に並ぶノズルから噴射されてプラテン２０上に搭載されたメディア１０表面に着弾したインク滴中から蒸発して、インクジェットヘッド３０周辺に浮遊して滞留する揮発性物質を、インクジェットヘッド３０周辺から排除する、揮発性物質排除手段１００が備えられている。
【００１６】
そのうち、図１に示したインク揮発性物質排除機構では、その揮発性物質排除手段１００を、インクジェットヘッド３０周辺に微風を送り込んで、その微風により、インクジェットヘッド３０周辺に浮遊して滞留する揮発性物質を、インクジェットヘッド３０周辺から排除する、微風供給手段１０２から構成している。微風供給手段１０２には、微風を送り出す小型送風ファン１０３を用いていて、その送風ファン１０３を、プラテン２０の後方上に配置している。
そして、その微風供給手段１０２により、インクジェットヘッド３０周辺に微風を送り込むことができるようにしている。そして、その微風により、インクジェットヘッド３０周辺に浮遊して滞留する揮発性物質を、インクジェットヘッド３０周辺から、インクジェットヘッド３０外方に強制的に迅速かつ的確に排除できるようにしている。そして、その揮発性物質が、インクジェットヘッド３０周辺に長時間滞留し続けて、その外気に晒されて揮発性物質の露点温度よりも低温状態にあるインクジェットヘッド３０下面で結露し、そのノズルが並ぶインクジェットヘッド３０下面に小粒状になって付着するのを、防ぐことができるようにしている。
また、その微風供給手段１０２により、インクジェットヘッド３０周辺に送り込まれる風を微風としている。そして、その微風の風圧を受けて、インクジェットヘッド３０下面に並ぶノズルから噴射されるインク滴の飛翔軌跡が、正規の方向からずれて曲がる等するのを、防ぐことができるようにしている。
なお、図１において、送風ファン１０３の前方には、搬送手段４０が備えられていて、送風ファン１０３から送り出される微風がインクジェットヘッド３０周辺に達し得ないように見えるが、メディア１０表面を押さえ込む搬送手段４０の押えローラ４２は、左右に離隔する一対の短尺ローラから形成されていて、その左右一対の押えローラ４２によりメディア１０表面の両側を押さえ込む構造をしている。そのために、その左右に離隔する一対の押えローラ４２の間を通して、送風ファン１０３から送り出される微風を、搬送手段４０に妨害されずに、インクジェットヘッド３０周辺に抵抗なく円滑に送り込むことが可能である。
【００１７】
図２に示した構成のインク揮発性物質排除機構では、その揮発性物質排除手段１００を、インクジェットヘッド３０周辺に、微風を層流状に整えて送り込んで、その層流状の微風により、インクジェットヘッド３０周辺に浮遊して滞留する揮発性物質を、インクジェットヘッド３０周辺から排除する、微風供給手段１２０から構成している。微風供給手段１２０は、プラテン２０の後方上に配置した微風を送り出す送風ファン１２２と、その送風ファン１２２から送り出される微風供給路に、該微風供給路を横断して備えた、微風を層流とするための網部材１２４と、プラテン２０の上方周囲を、網部材１２４を設けた箇所を除いて、連続して覆うカバー１２６とから構成している。網部材１２４には、適宜大きさの網目を持つネットを用いている。
そして、その微風供給手段１２０の送風ファン１２２を回転させることにより、その送風ファン１２２から送り出される微風を、微風供給路に備えた網部材１２４により、乱流状態とせずに、層流状に整えた状態にして、インクジェットヘッド３０周辺に送り込むことができるようにしている。そして、その微風により、インクジェットヘッド３０周辺に浮遊して滞留する揮発性物質を、インクジェットヘッド３０周辺から、インクジェットヘッド３０外方に強制的に迅速かつ的確に排除できるようにしている。それと共に、そのインクジェットヘッド３０周辺に送り込まれる微風を、乱流状態とせずに、層流状に整えた状態として、その層流状の微風の風圧を受けて、インクジェットヘッド３０下面に並ぶノズルから噴射されるインク滴の飛翔軌跡が、正規の方向からずれて曲がる等するのを、確実に防ぐことができるようにしている。また、微風供給手段１２０の送風ファン１２２から、網部材１２４を通して、プラテン２０上方のインクジェットヘッド３０周辺に層流状に整えた状態で送り込まれる微風が、外気の影響を受けて、乱されるのを、プラテン２０の上方周囲を覆うカバー１２６により防ぐことができるようにしている。
【００１８】
図３に示したインク揮発性物質排除機構では、その揮発性物質排除手段１００を、インクジェットヘッド３０周辺に浮遊して滞留する揮発性物質を、そのインクジェットヘッド３０周辺の空気と共に、インクジェットヘッド３０から離れた箇所に微弱な吸引力で吸引して排除する、気体微弱吸引手段１３０から構成している。気体微弱吸引手段１３０は、インクジェットヘッド下面３４を除く、インクジェットヘッド３０の周囲を空間をあけて覆うカバー１３２と、該カバー内側空間に配置した吸気ファン１３４と、カバー１３２外側に露出したインクジェットヘッド下面３４周辺の気体を、カバー１３２内側空間を通して、カバー１３２外部の上方空間に逃がすための、カバー１３２下面及び上面に開口した気体流通口１３６とから構成している。
そして、インクジェットヘッド３０周辺に浮遊して滞留する揮発性物質を、そのインクジェットヘッド３０周辺の空気と共に、気体微弱吸引手段１３０により、インクジェットヘッド３０から離れた箇所に微弱な吸引力で強制的に迅速かつ的確に排除できるようにしている。具体的には、吸気ファン１３４を回転させて、インクジェットヘッド３０下面周辺に浮遊して滞留する揮発性物質を、そのインクジェットヘッド３０下面周辺の空気と共に、カバー下面の気体流通口１３６からカバー１３２内側空間に吸入して、カバー上面の気体流通口１３６を通して、カバー１３２外部の上方空間に逃がすことができるようにしている。そして、その揮発性物質が、インクジェットヘッド３０下面周辺に長時間滞留し続けて、その外気に晒されて揮発性物質の露点温度よりも低温状態にあるインクジェットヘッド下面３４で結露し、そのインクジェットヘッド下面３４に小粒状等になって付着するのを、防ぐことができるようにしている。
また、気体微弱吸引手段１３０の吸気ファン１３４に小型ファンを用いる等して、その気体微弱吸引手段１３０により、インクジェットヘッド３０周辺に浮遊して滞留する揮発性物質を、そのインクジェットヘッド３０周辺の空気と共に、インクジェットヘッド３０から離れた箇所に微弱な吸引力で吸引している。そして、その気体微弱吸引手段１３０による吸引力を受けて、インクジェットヘッド下面３４に並ぶノズルから噴射されるインク滴の飛翔軌跡が、正規の方向からずれて曲がる等するのを、防ぐことができるようにしている。
【００１９】
図４に示したインク揮発性物質排除機構では、その揮発性物質排除手段１００を、図４（ａ）に示したように、インクジェットヘッド下面３４が重力が加わる方向に対して傾斜した方向を向くように、又は図４（ｂ）に示したように、インクジェットヘッド下面３４が重力が加わる方向とほぼ平行な方向を向くように、インクジェットヘッド３０を斜め上下方向又はほぼ垂直な上下方向に起立させた状態に支持する、インクジェットヘッド支持手段１４０から構成している。インクジェットヘッド支持手段１４０には、インクジェットヘッド３０をプラテン２０上方をＹ方向に移動可能に支持するガイドレール１４２を用いている。具体的には、そのガイドレール１４２側面を、斜め上下方向又はほぼ垂直な上下方向に起立させた状態に配置しようとするインクジェットヘッド３０の傾斜角度に合わせて、重力方向に対して所定角度傾斜させている。
そして、そのプラテン２０上に搭載されたメディア１０表面に着弾したインク滴中から蒸発して、大気中を空気からの浮力を受けて重力が加わる方向とは逆方向に上昇する揮発性物質を、そのメディア１０上方を覆うインクジェットヘッド下面３４により妨害されずに、図４（ａ），（ｂ）に矢印で示したように、インクジェットヘッド支持手段１４０により斜め上下方向又はほぼ垂直な上下方向に起立させた状態に支持されたインクジェットヘッド３０の、重力が加わる方向に対して傾斜した方向を向くインクジェットヘッド下面３４、又は重力が加わる方向とほぼ平行な方向を向くインクジェットヘッド下面３４と、プラテン２０上に搭載されたメディア１０表面等との間の隙間を通して、インクジェットヘッド３０上方の大気中に迅速に飛散させることができるようにしている。そして、その揮発性物質が、インクジェットヘッド３０周辺に長時間滞留し続けて、その外気に晒されて揮発性物質の露点温度よりも低温状態にあるインクジェットヘッド下面３４で結露し、そのインクジェットヘッド下面３４に小粒状等になって付着するのを、防ぐことができるようにしている。
【００２０】
【発明の効果】
以上説明したように、本発明のインク揮発性物質排除機構によれば、インクジェットプリンタのインクジェットヘッド下面に並ぶノズルから噴射されてプラテン上に搭載されたメディア表面に着弾したインク滴中から蒸発して、インクジェットヘッド周辺に浮遊して滞留する揮発性物質を、揮発性物質排除手段により、インクジェットヘッド周辺から強制的に迅速かつ的確に排除できる。そして、そのインクジェットヘッド周辺に浮遊して滞留する揮発性物質が、外気に晒されて低温状態にあるインクジェットヘッド下面に長時間接触し続けて、インクジェットヘッド下面で結露し、そのインクジェットヘッド下面に小粒状等になって付着するのを、防ぐことができる。そして、その揮発性物質が、同じインクジェットヘッド下面に並ぶノズルからのインク滴の的確な噴射を妨害するのを、防ぐことができる。その結果、そのプリンタを用いて、プラテン上に搭載されたメディア表面に、ドット抜けや縞模様や汚れや歪みのない整然とした美麗な、絵図又は／及び文字を常にプリント可能となる。
【図面の簡単な説明】
【図１】本発明のインク揮発性物質排除機構の概略構造説明図である。
【図２】本発明のインク揮発性物質排除機構の概略構造説明図である。
【図３】本発明のインク揮発性物質排除機構の概略構造説明図である。
【図４】本発明のインク揮発性物質排除機構の概略構造説明図である。
【図５】溶剤インクを使用するインクジェットプリンタの概略構造を示す側面断面図である。
【図６】高揮発性インクを使用するインクジェットプリンタの概略構造を示す側面断面図である。
【符号の説明】
１０  メディア
２０  プラテン
３０  インクジェットヘッド
３４  インクジェットヘッド下面
５０  メディア加熱手段
１００  揮発性物質排除手段
１０２  微風供給手段
１２０  微風供給手段
１２４  網部材
１３０  気体微弱吸引手段
１４０  インクジェットヘッド支持手段
【図１】
2005022194.tif 000003
【図２】
2005022194.tif 000004
【図３】
2005022194.tif 000005
【図４】
2005022194.tif 000006
【図５】
2005022194.tif 000007
【図６】
2005022194.tif 000008